【事件の表示】
　特願２００３−２７２７５３号「視覚障害者用ＰＴＰ」拒絶査定不服審判事件〔平成１７年　２月　３日出願公開、特開２００５−　２７９８７号〕について、次のとおり審決する。
【結　論】
　本件審判の請求は、成り立たない。
【理　由】
 １．手続の経緯及び本願発明１
　本願は平成１５年７月１０日の出願であって、その請求項１〜６に係る発明は、平成２０年１１月１０日付け手続補正書により補正された特許請求の範囲の記載からみて、その請求項１〜６に記載された事項により特定されるとおりのものであると認められるところ、その請求項１に係る発明（以下、「本願発明１」という。）は次のとおりのものである。
　
「　【請求項１】
　薬剤を収容可能なポケット部を設けた可撓性シートと、薬剤を収容した前記ポケット部を密閉するよう貼着されてなる金属シートから構成され、分割線により前記ポケット部を１個乃至複数個含むセクションに分割可能なＰＴＰであって、
ポケット部天面に設けられ、前記薬剤に関する情報を触覚により識別可能な第１の凹凸である薬剤識別手段と、
分割された前記セクションにおける前記薬剤識別手段の方向を触覚により特定可能な方向特定手段
をセクションごとに備えてなるＰＴＰ。」
　
２．刊行物に記載された発明
（刊行物１）
　当審において通知した拒絶の理由に引用された、本願の出願前に頒布された刊行物である特開平８−２０６１７７号公報（以下、「刊行物１」という。）には、図面と共に次の事項が記載されている。  
（ア）「【発明の属する技術分野】本発明は、錠剤シートに関する。」（段落【０００１】）
（イ）「前記第２の目的を達成するために、本発明の請求項２記載の錠剤シートは、錠剤をそれぞれ収容すると共に脆弱部によって個別に分離可能に連接してなるものにおいて、錠剤を個別に収容する個別シート部分に錠剤識別手段が設けられてなることを特徴とする。この錠剤シートでは、個別シート部分に錠剤識別手段（例えば切欠き、凸部又は凹部）が設けられているため、個別シート部分の錠剤の種類を容易に識別できる。」（段落【０００８】） 
（ウ）「第１の実施形態に係る錠剤シートを図１に示す。この錠剤シート１０は、２×４個の丸形の錠剤１１をそれぞれ収容すると共に脆弱部（ミシン目、切溝、薄肉等）１２により個別に分離可能に連接してなるものである。」（段落【００１０】） 
（エ）「図６に示す第６の実施形態の錠剤シート６０は、個別シート部分６０ａに上記切欠き５５の代わりに凸部又は凹部６６が形成されている。ここでは、凸部又は凹部６６は、半球形状であるが、矩形、三角形、或いは文字や数字等、錠剤シート６０の表側又は裏側に突出する様態であればよい。この場合も、個別シート部分６０ａを触ることで、どの食後に服用する錠剤であるのかを容易に認識できる。この凸部又は凹部は、目の不自由な人の点字用として使用できる。
　図７に示す第７の実施形態の錠剤シート７０は、切欠き７５と凸部又は凹部７６を併有するもので、個別錠剤部分７０ａの一方側（左側）に切欠き７５が、他方側（右側）に凸部又は凹部７６が設けられている。この錠剤シート７０では、個別シート部分７０ａをより一層識別し易くなっている。図８及び図９にそれぞれ示す第８及び第９の実施形態の錠剤シート８０，９０は、共に切欠き８５，９５及び凸部又は凹部８６，９６が設けられたものにおいて、個別シート部分８０ａ，９０ａの４隅部８３，９３がそれぞれ三角形状及び円弧状に面取りされたものである。従って、これらの錠剤シート８０，９０は、面取り及び錠剤識別手段による作用効果を併有する。」（段落【００１４】〜【００１５】） 
（オ）図７には、錠剤を収容可能なポケット部を備えた錠剤シート７０が、脆弱部７２により分離可能である構成が図示されている。  
  
 　上記記載から、刊行物１には、  
 「錠剤を収容可能なポケット部を備え、脆弱部により前記ポケット部を１個含む個別シート部分に分離可能に連接した錠剤シートであって、錠剤の種類を触覚により識別可能な切欠き及び凸部又は凹部である錠剤識別手段が個別シート部分に設けられている錠剤シート。」の発明（以下「引用発明」という。）が記載されているといえる。  
　
（刊行物２）
　当審において通知した拒絶の理由に引用された、本願出願前に頒布された刊行物である特開平１０−２４８９０５号公報（以下、「刊行物２」という。）には、図面と共に次の事項が記載されている。 
（カ）「【請求項１】錠剤をそれぞれ収容すると共に脆弱部によって個別に分離可能に連接してなる錠剤シートにおいて、
錠剤を個別に収容する個別シート部分の錠剤収容部分の表側及び／又は裏側に錠剤識別手段が設けられてなることを特徴とする錠剤シート。
【請求項２】前記錠剤識別手段は、凸部及び／又は凹部であることを特徴とする請求項１記載の錠剤シート。」（【特許請求の範囲】） 
（キ）「凸部１６は、図２（錠剤シート１０の個別シート部分１０ａの錠剤収容部分の部分拡大断面図）において、（ａ）に示すように下シート１０−１に接合された上シート１０−２に設けてもよいし、（ｂ）に示すように下シート１０−１に設けてもよい。或いは、（ｃ）に示すように、凸部１６に代えて、凹部１６’を上シート１０−２（又は下シート１０−１）に設けてもよい。このようにすることで、健常者は凸部１６の個数を視認することで、目の不自由な人は手で凸部１６の個数を把握することで、錠剤１１がいつ服用するものなのか容易に識別できる。」（段落【００１２】）
（ク）図２には、錠剤を収容可能なポケット部を設けた上シート（可撓性シート）と、錠剤を収容した前記ポケット部を密閉するよう貼着されてなる下シートから構成された錠剤シート、及びポケット部天面に凹凸からなる錠剤識別手段が設けられている点が図示されている。そして、図２の錠剤シートはその形状からみてＰＴＰということができる。 
　
（刊行物３）
　当審において通知した拒絶の理由に引用された、本願出願前に頒布された刊行物である特開平１１−３０９５５号公報（以下、「刊行物３」という。）には、図面と共に、次の事項が記載されている。  
（ケ）「【発明が属する技術分野】本発明は、薬袋・薬包等の薬のパッケージに貼付して使用されるラベルシールであり、とくに視覚障害者のために薬に関する必要情報を表現できるようにした薬用ラベルシールに関するものである。」（段落【０００１】）
（コ）「本発明では、ラベルシールの表面に合成樹脂を材料とした立体透明インクなどにより突起を形成しており、その形状は点状、棒状、矩形状など任意な形状に設定できる。そして、この突起の個数、形状、配列、方向等により、薬の用法、用量などの必要情報を表現して患者に指示する。例えば、突起の個数と配列により薬の服用時期を表現したり、突起の形状により薬の使用部位を表現したりする。あるいは突起の個数と方向により朝、昼、夜あるいは当該突起の方向と直交する方向の個数により、食前、食後、食間といった具合に服用時期を具体的に指示することができる。」（段落【０００６】） 
（サ）「尚、上記実施例で示したすべてのラベルシール２には、シールの上下を識別するための工夫が施されている。例えば、実施例１、実施例２及び実施例３に示す略楕円形のものはシール頂部に三角形状の突出片２ａを一体に設けた構成とされている。他にも膨出した横棒状の上下識別用バーをシール表面の上部側あるいは下部側に設けるようにしたものでもよい。」（段落【００１７】） 
　
３．対比・判断
　本願発明１と引用発明とを対比すると、それぞれの有する機能からみて、引用発明の「錠剤」は本願発明１の「薬剤」に相当する。以下同様に、「脆弱部」は「分割線」に、「ポケット部を１個含む個別シート部分」は「ポケット部を１個乃至複数個含むセクション」に、「錠剤の種類」は「薬剤に関する情報」に相当する。
　また、引用発明の「錠剤を収容可能なポケット部を具え」た「錠剤シート」と本願発明１の「薬剤を収容可能なポケット部を設けた可撓性シートと、薬剤を収容した前記ポケット部を密閉するよう貼着されてなる金属シートから構成され」た「ＰＴＰ」とは、「薬剤を収容可能なポケット部を設け」た「薬剤容器」である点で共通している。
　したがって、本願発明１と引用発明は、本願発明１の用語を用いて表現すると、下記の一致点及び相違点を有する。
　
（一致点）
「薬剤を収容可能なポケット部を設け、分割線により前記ポケット部を１個乃至複数個含むセクションに分割可能な薬剤容器であって、
前記薬剤に関する情報を触覚により識別可能な第１の凹凸である薬剤識別手段
をセクションごとに備えてなる薬剤容器。」
　
（相違点１）
　「薬剤容器」に関し、本願発明１では「薬剤を収容可能なポケット部を設けた可撓性シートと、薬剤を収容した前記ポケット部を密閉するよう貼着されてなる金属シートから構成され」た「ＰＴＰ」であるのに対し、引用発明では「薬剤を収容可能なポケット部を設け」てはいるが、その他の限定がない「錠剤シート」である点。
（相違点２）
　「第１の凹凸である薬剤識別手段」に関し、本願発明１では「ポケット部天面」に設けられているのに対し、引用発明ではそのような限定がない点。
（相違点３）
　本願発明１では、「分割された前記セクションにおける前記薬剤識別手段の方向を触覚により特定可能な方向特定手段をセクションごとに」備えているのに対し、引用発明ではそのような発明特定事項がない点。
　
　以下、上記相違点について検討する。
（相違点１について）
　刊行物２には、錠剤を収容可能なポケット部を設けた上シートと、錠剤を収容した前記ポケット部を密閉するよう貼着されてなる下シートから構成されたＰＴＰである錠剤シートが記載されている。 
 　そして、ポケット部を設けた上シートは通常可撓性シートであり、密封するよう貼着されてなるシートを金属シートとすることは当業者が適宜選択し得る設計的事項に過ぎない。
 　したがって、引用発明に刊行物２に記載された発明を適用し、相違点１に係る本願発明１のように構成することは当業者が容易に想到し得ることといえる。 
　
（相違点２について）
　ポケット部天面に凹凸からなる錠剤識別手段が設けられている点は、刊行物２に記載されている。
　そうすると、共にポケット部を備えた錠剤シートに関するものである引用発明及び刊行物２に記載された発明を知り得た当業者であれば、引用発明の薬剤識別手段をポケット部天面に設けるようにすることは容易に想到できる程度のことである。
　
（相違点３について）
　刊行物３には、上記記載事項（ケ）、（コ）、（サ）からみて、突起の形状、配列、方向等によって薬に関する必要情報を視覚障害者に指示するさいに、突出片により上下を識別するように構成したものが記載されている。ここで、この突出片は薬剤識別手段の方向を触覚により特定可能な方向特定手段を設けたものに相当する。
　そして、共に薬剤に関する情報を触覚により伝達する技術に関する刊行物３に記載された発明を引用発明に適用する点に格別の困難性は見いだせない。
 　そうすると、引用発明に刊行物３に記載された発明を適用し、その際薬剤識別手段がセクションごとに設けられていることから当然に方向特定手段もセクションごとに設けることとし、相違点３に係る本願発明１のように構成することは当業者が容易に想到し得ることである。 
　
　なお、この相違点３に関連して請求人は、平成２０年１１月１０日付けの意見書において特に刊行物３について、「・・・の記載を考慮すると、「シールの上下を識別するための工夫」とは、「薬の必要情報を表現する突起」に対してではなく、あくまで「薬の必要情報を表現する文字」の上下方向を判別することは明らかであります。つまり、「シールの上下を識別するための工夫」は、シールを薬袋・薬包等の薬のパッケージに貼り付ける（通常の視力を有する）作業者が、「薬の必要情報を表現する文字」を正確に読み取るためのものであります。　そうすると、引用文献３の発明は、シールを薬袋・薬包等の薬のパッケージに貼り付ける（通常の視力を有する）作業者に対して課題解決されるよう提供されるべき発明であって、引用文献３の発明における「薬の必要情報を表現する文字」も触覚により識別可能な第１の凹凸である薬剤識別手段ではない以上、引用文献１の発明に引用文献３の発明を組み合わせるという論理付けは成立しないものと思料致します。」と主張している。
　しかしながら刊行物３においては、「突起の・・・方向等により、薬の用法、用量などの必要情報を表現して患者に指示する。」と記載されている（記載事項（コ）参照）ように、触覚により突起を識別するさいに、突起の方向を識別することがあり、その場合には前提としてシールの上下を識別することが必要であることは明らかであるから、刊行物３における「シールの上下を識別するための工夫」すなわち方向特定手段は、薬剤識別手段の方向を触覚により特定可能なものを少なくとも含むと言うことができる。
　したがって、上記請求人の主張は採用できない。
　
　そして、本願発明１の奏する効果についても、引用発明、刊行物２及び３に記載された発明から、当業者が予測しうる範囲内のものであって、格別のものとはいえない。
　
４．むすび
　したがって、本願の請求項１に係る発明（本願発明１）は、刊行物１〜３に記載された発明に基づいて当業者が容易に発明をすることができたものであるから、特許法第２９条第２項の規定により特許を受けることができない。
　そして、本願の請求項１に係る発明が特許を受けることができないものである以上、本願のその他の請求項に係る発明について検討するまでもなく、本願は拒絶すべきものである。
　よって、結論のとおり審決する。